(57)【要約】      （修正有）【課題】シェード部材にカビや菌が繁殖することを抑制できる防雨装置を提供する。【解決手段】ベランダ３０の天井部または軒先に、その外縁端に沿って設置される収納部２と、この収納部から下方へ出し入れ自在に、収納部へ収納されるシェード部材３と、収納部の内部に設置され、シェード部材を巻き取りおよび巻き出し可能な駆動軸と、降雨を検知する降雨検知手段５と、シェード部材の水分付着量を検知する水分付着量検知手段６と、降雨検知手段が降雨の開始を検知すると、シェード部材を巻き出して収納部から下降させ、降雨検知手段が降雨の終了を検知すると、水分付着量検知手段が検知した水分付着量が所定の値まで低下した後に、シェード部材を巻き取り収納部に収納するように駆動軸を制御する制御手段１０とを備える。【選択図】図１
2017031603.tif 000002
【特許請求の範囲】
【請求項１】
ベランダの天井部または軒先に、その外縁端に沿って設置される収納部と、
この収納部から下方へ出し入れ自在に、前記収納部へ収納されるシェード部材と、
前記収納部の内部に設置され、前記シェード部材を巻き取りおよび巻き出し可能な駆動軸と、
降雨を検知する降雨検知手段と、
前記シェード部材の水分付着量を検知する水分付着量検知手段と、
前記降雨検知手段が降雨の開始を検知すると、前記シェード部材を巻き出して前記収納部から下降させ、前記降雨検知手段が降雨の終了を検知すると、前記水分付着量検知手段が検知した前記水分付着量が所定の値まで低下した後に、前記シェード部材を巻き取り前記収納部に収納するように前記駆動軸を制御する制御手段とを備えることを特徴とする防雨装置。
【請求項２】
前記シェード部材の前記収納部からの下降長さを設定可能な記憶手段を備え、前記制御手段は、前記降雨検知手段が降雨の開始を検知すると、前記記憶手段に設定された下降長さの分だけ前記シェード部材を巻き出すように前記駆動軸を制御することを特徴とする請求項１に記載の防雨装置。
【請求項３】
前記シェード部材は、通気度が前記駆動軸の巻き出し方向において段階的または連続的に異なるように構成され、
前記制御手段は、前記降雨検知手段が降雨の開始を検知すると、前記降雨検知手段が検知した降雨量に応じた前記通気度の領域が露出する下降長さの分だけ前記シェード部材を巻き出すように前記駆動軸を制御することを特徴とする請求項１または２に記載の防雨装置。
【請求項４】
日射量を検知する日射量検知手段を備え、
前記制御手段は、前記日射量検知手段が検知した日射量が所定の値を超えた場合に、前記シェード部材を巻き出すように前記駆動軸を制御することを特徴とする請求項１から３のいずれか一項に記載の防雨装置。
【発明の詳細な説明】
【技術分野】
【０００１】
本発明は、防雨装置に関する。
【背景技術】
【０００２】
住宅、アパート、マンションなどの建物には、ベランダや軒を有するものが多くある。ベランダには、外面の腰壁と天井部の外縁端との間に、外部空間へ開放された開口部が形成してある。また、軒下も外部空間へ開放されている。
【０００３】
そのため、ベランダや軒下は通気性がよく、通常は日当たりもよいことから、このベランダや軒下に洗濯物や布団などを干すことが多い。
【０００４】
しかしながら、風が強くなると雨がベランダ内や軒下に吹き込んで、洗濯物や布団が濡れてしまうことがある。
【０００５】
この問題を解決するために、ベランダや軒下に防雨装置を設置することが提案されている（特許文献１、２参照）。この防雨装置は、ベランダの天井部または軒先に、その外縁端に沿って設置された収納部から、降雨検知センサの検知に基づいて、雨よけのためのシェード部材を下方へ出し入れ自在にしたものである。
【先行技術文献】
【特許文献】
【０００６】
【特許文献１】特開２００２−１７３９７５号公報
【特許文献２】特開２００６−０３７３９５号公報
【発明の概要】
【発明が解決しようとする課題】
【０００７】
しかしながら、降雨検知センサが降雨の終了を検知した後、即座にシェード部材を巻き取り収納部へ収納すると、シェード部材が濡れたまま収納されてしまう。そのため、シェード部材にカビや菌が繁殖し、衛生上好ましくなく、またシェード部材が変色してしまうという問題があった。
【０００８】
本発明は、以上の通りの事情に鑑みてなされたものであり、シェード部材にカビや菌が繁殖することを抑制できる防雨装置を提供することを課題としている。
【課題を解決するための手段】
【０００９】
上記の課題を解決するために、本発明の防雨装置は、ベランダの天井部または軒先に、その外縁端に沿って設置される収納部と、この収納部から下方へ出し入れ自在に、収納部へ収納されるシェード部材と、収納部の内部に設置され、シェード部材を巻き取りおよび巻き出し可能な駆動軸と、降雨を検知する降雨検知手段と、シェード部材の水分付着量を検知する水分付着量検知手段と、降雨検知手段が降雨の開始を検知すると、シェード部材を巻き出して収納部から下降させ、降雨検知手段が降雨の終了を検知すると、水分付着量検知手段が検知した水分付着量が所定の値まで低下した後に、シェード部材を巻き取り収納部に収納するように駆動軸を制御する制御手段とを備えることを特徴としている。
【発明の効果】
【００１０】
本発明によれば、シェード部材にカビや菌が繁殖することを抑制できる。
【図面の簡単な説明】
【００１１】
【図１】本発明の防雨装置の一実施形態を示す斜視図であり、ベランダに設置した状態を示す。
【図２】図１の防雨装置の側面図であり、ベランダに設置した状態を示す。
【図３】本発明の防雨装置の別の実施形態を示す図２と同様な側面図である。
【図４】図３の防雨装置のシェード部材を示した平面図である。
【発明を実施するための形態】
【００１２】
以下に、図面を参照しながら本発明の実施形態について説明する。
【００１３】
図１および図２は、本発明の防雨装置の一実施形態を示したものである。
【００１４】
図１および図２に示すように、本実施形態の防雨装置１は、住宅などの建物におけるベランダ３０に設置されている。
【００１５】
ベランダ３０には、外面の腰壁３２と天井部３３の外縁端との間に、外部空間へ開放された開口部３４が形成されている。また、開閉可能な窓３１を通じて室内から外部を眺望できるように構成され、必要に応じて室内への採光や通風などを十分に行うことができる。
【００１６】
ベランダ３０の天井部３３の下方には、竿掛け３５が固定されており、この竿掛け３５に物干し竿３６が設置されている。物干し竿３６に掛けたハンガー３７に洗濯物３８を干している。防雨装置１は、このようにベランダ３０で干されている洗濯物３８や布団などが雨で濡れるのを避けるために用いられる。
【００１７】
本実施形態の防雨装置１は、ベランダ３０の天井部３３または軒先に、その外縁端に沿って設置される収納部２と、収納部２から下方へ出し入れ自在に、収納部２へ収納されるシェード部材３を備えている。防雨装置１は、収納部２の内部に設置され、シェード部材３を巻き取りおよび巻き出し可能な駆動軸４と、降雨を検知する降雨検知手段５と、シェード部材３の水分付着量を検知する水分付着量検知手段６を備えている。そして防雨装置１は、制御手段１０を備えている。この制御手段１０は、降雨検知手段５が降雨の開始を検知すると、シェード部材３を巻き出して収納部２から下降させるように駆動軸４を制御する。また、降雨検知手段５が降雨の終了を検知すると、水分付着量検知手段６が検知した水分付着量が所定の値まで低下した後に、シェード部材３を巻き取り収納部２に収納するように駆動軸４を制御する。
【００１８】
このように、本実施形態の防雨装置１は、シェード部材３の水分付着量を検知する水分付着量検知手段６を設けている。そして降雨検知手段５が降雨の終了を検知すると、即座にシェード部材を巻き取るのではなく、水分付着量検知手段６が検知した水分付着量が所定の値まで低下した後に、シェード部材３を巻き取り収納部２に収納するようにしている。すなわち、雨が止んだ後、暫くシェード部材３を外部に露出した状態のままで乾燥させて付着水分を蒸散させ、これを水分付着量検知手段６が検知することによって制御手段１０は駆動軸４に信号を送り、シェード部材３を巻き取り収納部２に収納する。そのため、シェード部材３が濡れたまま巻き取られて収納されてしまうことがなく、シェード部材３にカビや菌が繁殖することを抑制することができる。
【００１９】
図１および図２に示すように、防雨装置１の収納部２は、ベランダ３０の天井部３３に、その外縁端に沿って設置されている。この収納部２は、シェード部材３および駆動軸４を収納可能な空洞を有する長軸形状である。その長手方向は、ベランダ３０の腰壁３２とほぼ等幅とされ、ベランダ３０の開口部３４の全体をシェード部材３で覆うことができるようにしている。
【００２０】
収納部２は、防雨装置１の電源として太陽電池や蓄電池を使用することにより、室内へ電源コードを導入する等の配線施工をせずとも、固定金具などを用いてベランダ３０の天井部３３に簡便に後付けできるようになっている。
【００２１】
シェード部材３は、収納部２から下方へ出し入れ自在に、収納部２へ収納される。シェード部材３は、繊維などを素材とする布、シートなどを用いることができる。シェード部材３は、駆動軸４に巻き取れる程度の可撓性を備えていればよく、平織、綾織、朱子織、絡み織などの織物や、不織布、編物などを用いることができる。その中でも、降雨を遮断できるように緻密な構造となっているものが望ましい。布を用いる場合には、強風を確実に遮断できるように樹脂やゴムラテックス等によって目詰処理を施してもよい。また、シェード部材３は、半透明または不透明であってよい。
【００２２】
シェード部材３は、長い帯状で、シェード部材３の短手方向の幅は、収納部２の長手方向とほぼ等しい幅とされている。シェード部材３の長手方向は、その一端が駆動軸４に接続され、他端には錘が設けられている。シェード部材３は、降雨検知手段が降雨の開始を検知すると、制御手段１０からの信号に基づく駆動軸４の回転によって、この錘の自重により収納部２から下方へ巻き出される。
【００２３】
駆動軸４は、収納部２の内部に設置され、シェード部材３を巻き取りおよび巻き出し可能とされている。このシェード部材３の芯となる回転軸としての駆動軸４は、不図示のモータを備えている。降雨検知手段５が降雨の開始および終了を検知することによって、制御手段１０から信号が出力されて駆動軸４のモータが起動され、シェード部材３を上下に駆動する。すなわち、駆動軸４は、シェード部材３が駆動軸４に巻き取られた収納姿勢と、この収納部２から巻き出された防護姿勢とに切り換えできるように、収納部２の内部に設置されている。
【００２４】
降雨検知手段５としては、雨水に非接触で降雨を検知可能な降雨検知センサ５ａを使用している。降雨検知センサ５ａとしては、電波センサ、超音波センサ、画像認識装置などを用いることができる。
【００２５】
本実施形態では、雨水に非接触で降雨を検知可能な降雨検知センサ５ａを用いることにより、降雨検知手段５を収納部２の内部に収納部２と一体に設置し、これらをモジュールとしている。そのため、降雨検知手段５は雨に曝される必要がなくなり、収納部２の内部に一体化して配置できる。したがって、外部に曝されることによる寿命低下、故障、損傷などに起因するコストや、設置するための工数のコストを低減することができる。また、降雨検知センサ５ａを外部からは目立たない収納部２の内部に設置できるので、外観がすっきりとして意匠性を高めることができる。
【００２６】
水分付着量検知手段６は、収納部２の外面に設置されている。水分付着量検知手段６としては、水に効率的に吸収される特定波長の赤外光と、参照光との反射率の差から水分付着量を推測する光学式センサ６ａを用いている。
【００２７】
なお、水分付着量検知手段６はシェード部材３の特定位置の水分を計測してもよいし、スイープなどによりシェード部材３表面の水分付着量を線または面で測定してもよい。
【００２８】
制御手段１０は、降雨を検知する降雨検知手段５および駆動軸４のモータに対して次のように信号の入出力を行う。
【００２９】
本実施形態では、制御手段１０として、防雨装置１に演算制御装置が内蔵されている。演算制御装置、駆動軸４のモータ、降雨検知センサ５ａ、光学式センサ６ａなどの防雨装置１のデバイスの電源には、太陽電池や蓄電池を使用することができる。これにより、室内へ電源コードを導入する等の配線施工をせずとも、固定金具などを用いてベランダ３０の天井部３３に簡便に後付けすることができる。もちろん、商用電源を用いることもできる。省電力のため、待機時には降雨検知センサ５ａ、光学式センサ６ａや一部の回路にのみに電力を与えておく。
【００３０】
演算制御装置は、ＣＰＵ（Ｃｅｎｔｒａｌ Ｐｒｏｃｅｓｓｉｎｇ Ｕｎｉｔ）、ＲＡＭ（Ｒａｎｄｏｍ Ａｃｃｅｓｓ Ｍｅｍｏｒｙ）、ＲＯＭ（Ｒｅａｄ Ｏｎｌｙ Ｍｅｍｏｒｙ）など汎用コンピュータと同様のハードウェアが備えられていてよい。ＣＰＵは、降雨検知手段５や水分付着量検知手段６の出力を得たり、駆動軸４のモータに指令信号を与えたりすることができる。
【００３１】
またＲＯＭは、演算制御装置を用いて本実施形態における防雨装置１の機能を実現するためのプログラムや設定データを格納している。このＲＯＭには電気的に書き換え可能なフラッシュメモリを用いることができる。演算制御装置のＣＰＵは、始動時にＲＯＭからＲＡＭにそのプログラムを読み出す。そして、そのプログラムの指令および設定データに従って、本実施形態における防雨装置１の機能を実現する。
【００３２】
プログラムの指令および設定データに従うことにより、演算制御装置は制御手段１０として機能する。制御手段１０は、降雨状態であるかどうかを判定する。この判定には、降雨検知手段５の出力を用いることができる。制御手段１０は、降雨状態の場合にシェード部材３を巻き出し、降雨状態でない場合にシェード部材３を収納するために駆動軸４のモータを制御する。この判定や制御の機能を実現するのにＣＰＵを用いることができる。例えば、降雨検知手段５の出力からＣＰＵは降雨状態を判定する。降雨状態の場合、ＣＰＵはシェード部材３を巻き出すために、駆動軸４のモータの駆動回路に指令信号を与える。シェード部材３は、その先端に設けられた錘の自重によって落下し、それに伴ってシェード部材３が巻き出される。一方、降雨検知手段５の出力に基づいて降雨が終了したことを推定すると、水分付着量検知手段６が検知した水分付着量が所定の値まで低下した後に、ＣＰＵは巻き出された降雨検知手段５を収納するために駆動軸４のモータの駆動回路に指令信号を与える。
【００３３】
また本実施形態の防雨装置１は、シェード部材３の収納部２からの下降長さを設定可能な記憶手段を備えている。制御手段１０は、降雨検知手段５が降雨の開始を検知すると、記憶手段に設定された下降長さの分だけシェード部材３を巻き出すように駆動軸４を制御する。この記憶手段は、上記のようなＲＯＭやＲＡＭであってよい。
【００３４】
すなわち記憶手段には、利用者の設定により任意の下降長さに対応する電気信号を記憶させることができる。降雨検知手段５が降雨の開始を検知すると、記憶された量だけシェード部材３を下降駆動する。シェード部材３の下降長さは、駆動軸４の回転数などに対応する電気信号として、記憶手段に書き換え可能に記憶される。
【００３５】
このように、シェード部材３の収納部２からの下降長さを任意に設定可能な記憶手段を有することで、利用者によるシェード部材３の下降長さの自由な設定が可能である。したがって、シェード部材３の下降長さを調節するための物理的なストッパーが不要である。そして、操作の容易性と施工に際しての汎用性の面でも優れている。すなわち、シェード部材３の適切な下降長さは防雨装置１の施工状態により様々であるが、利用者がシェード部材３の下降長さを任意に設定することができる。そのため、駆動軸４に掛かる負荷の変化によって駆動を終了する方法などに比べても、操作の容易性と施工に際しての汎用性の面で優れている。例えば、シェード部材３の下端を、ベランダ３０の腰壁３２上端よりも下方や、あるいは更にベランダ３０の床面まで下降するように、記憶手段へ自由に設定することができる。よって、腰壁３２と天井部３３との間の開口部３４が、施工状態などによらずシェード部材３によって確実に閉塞される。シェード部材３の収納部２からの下降長さを記憶手段に設定する操作は、防雨装置１の収納部２に設けた操作パネルで利用者が行ってもよい。あるいは、別途に室内等に操作パネルを設置して、無線等によって室外の収納部２に内蔵した記憶手段へ設定してもよい。
【００３６】
以上の構成を備えた本実施形態の防雨装置１は、次のように使用される。
【００３７】
雨が降らない平常時には、採光や通風などが阻害されず、ベランダ３０からの眺望も十分に確保できる。天候が悪化して雨が強くなった場合には、シェード部材３を防護姿勢に切り換えることでベランダ３０の腰壁３２と天井部３３との間の開口部３４が閉塞される。まず、降雨検知手段５が降雨の開始を検知すると、降雨検知手段５からの信号が制御手段１０に入力される。制御手段１０は、駆動軸４のモータに信号を出力し、するとモータによって駆動軸４が回転し、シェード部材３を巻き出して収納部２から下降させる。より具体的には、防雨装置１は、前述のとおりシェード部材３の収納部２からの下降長さを設定可能な記憶手段を備えている。制御手段１０は、降雨検知手段５が降雨の開始を検知すると、記憶手段に設定された下降長さの分だけシェード部材３を巻き出すように駆動軸４のモータに信号を出力する。記憶手段に設定されたとおりに回転した後、制御手段１０は駆動軸４のモータを停止する。
【００３８】
天候が回復して雨が止んだ場合には、シェード部材３を収納姿勢に切り換えることでベランダ３０の腰壁３２と天井部３３との間の開口部３４が開放される。まず、降雨検知手段５が降雨の終了を検知すると、降雨検知手段５からの信号が制御手段１０に入力される。制御手段１０は、降雨検知手段５が降雨の終了を検知すると、水分付着量検知手段６が検知した水分付着量が所定の状態以下に低下した後に、駆動軸４のモータに信号を出力し、するとモータによって駆動軸４が回転し、シェード部材３を巻き取り収納部２へ収納させる。より具体的には、制御手段１０は、降雨検知手段５が降雨の終了を検知すると、水分付着量検知手段６が検知した水分付着量が所定の状態以下に低下した後に、前述の記憶手段に設定された下降長さの分だけシェード部材３を巻き取るように駆動軸４のモータに信号を出力する。記憶手段に設定されたとおりに回転した後、制御手段１０は駆動軸４のモータを停止する。
【００３９】
すなわち制御手段１０は、水分付着量検知手段６が検知した水分付着量が所定の値まで低下した後に、シェード部材３を巻き取り収納部２に収納するように駆動軸４を制御する。このように降雨検知手段５が降雨の終了を検知すると、即座にシェード部材３を巻き取るのではなく、水分付着量検知手段６が検知した水分付着量が所定の値まで低下した後に、シェード部材３を巻き取り収納部２に収納するようにしている。すなわち、雨が止んだ後、暫くシェード部材３を外部に露出した状態のままで乾燥させて付着水分を蒸散させ、これを水分付着量検知手段６が検知することによって制御手段１０は駆動軸４に信号を送り、シェード部材３を巻き取り収納部２に収納する。そのため、シェード部材３が濡れたまま巻き取られて収納されてしまうことがなく、シェード部材３にカビや菌が繁殖することを抑制することができる。
【００４０】
なお、水分付着量検知手段６を、収納部２の内部に一体化して配置してもよい。この場合は、駆動軸４を制御してシェード部材３の一部または全部を巻き取って、一旦収納部２に収納し、この状態で水分付着量検知手段６により水分付着量を検知する。そして、この値が所定の値より高い場合は、駆動軸４を制御してシェード部材３を巻き出し、所定の時間経過後に、同様に水分付着量を検知する。そして、この値が所定の値まで低下した後は、シェード部材３を完全に巻き取り収納部２に収納する。
【００４１】
以上のように、雨が降るとシェード部材３が巻き出されて、ベランダ３０のような居住空間への雨滴の侵入を抑制することにより、ベランダ３０の洗濯物３８を雨から守ることができる。雨が止めば、シェード部材３が巻き取られて収納され、利用者が指示を与えなくとも、適時日当たりや風通しを確保することができる。したがって、様々な天候の変化に柔軟に対応することで、最適な居住環境を利用者に提供することができる。
【００４２】
本実施形態の防雨装置１は、次のような構成としてもよい。すなわち、日射量を検知する日射量検知手段を備え、制御手段１０は、日射量検知手段が検知した日射量が所定の値を超えた場合に、シェード部材３を巻き出すように駆動軸４を制御する構成としてもよい。
【００４３】
日射量検知手段としては、日射量を検知可能なセンサであれば特に制限はなく、収納部２に設置することができる。
【００４４】
例えば、日照量に対するしきい値が設定データとしてＲＯＭに予め記憶される。ＣＰＵは、シェード部材３が収納されている場合に、日射量検知手段の出力が示す日照量としきい値とを適時比較する。日照量がしきい値以下であれば、ＣＰＵはシェード部材３を収納部２から巻き出す判定を行わない。日照量がしきい値を超えた場合には、シェード部材３を収納部２から巻き出す判定を行う。またＣＰＵは、シェード部材３が収納部２から引き出されている場合にも、日射量検知手段の出力が示す日照量としきい値とを適時比較する。日照量がしきい値を超えていれば、ＣＰＵはシェード部材３を収納部２へ巻き取る判定を行わない。日照量がしきい値以下となった場合には、シェード部材３を収納部２へ巻き取る判定を行う。
【００４５】
このように防雨装置１に日射量検知手段を設けることで、自動防雨に加えて自動遮光が可能である。したがって、好天時等の日差しが強くなり過ぎる場合も、ベランダ３０の開口部３４からの陽光を防護姿勢のシェード部材３により和らげることができ、例えば室内の備品などの日焼けによる変色を抑制できる。
【００４６】
以上に説明した本実施形態の防雨装置１によれば、シェード部材３の水分付着量を検知する水分付着量検知手段６を設けている。そして降雨検知手段５が降雨の終了を検知すると、即座にシェード部材を巻き取るのではなく、水分付着量検知手段６が検知した水分付着量が所定の値まで低下した後に、シェード部材３を巻き取り収納部２に収納するようにしている。したがって、シェード部材３が濡れたまま巻き取られて収納されてしまうことがなく、シェード部材３にカビや菌が繁殖することを抑制することができる。
【００４７】
また、シェード部材３の収納部２からの下降長さを設定可能な記憶手段を備え、制御手段１０は、降雨検知手段５が降雨の開始を検知すると、記憶手段に設定された下降長さの分だけシェード部材３を巻き出すように駆動軸４を制御する。したがって、シェード部材３の下降長さを調節するための物理的なストッパーが不要である。そして、シェード部材３の適切な下降長さは防雨装置１の施工状態により様々であるが、利用者がシェード部材３の下降長さを任意に設定することができる。そのため、操作の容易性と施工に際しての汎用性の面で優れている。
【００４８】
また、日射量を検知する日射量検知手段を備え、制御手段１０は、日射量検知手段が検知した日射量が所定の値を超えた場合に、シェード部材３を巻き出すように駆動軸４を制御する構成としてもよい。このように防雨装置１に日射量検知手段を設けることで、好天時等の日差しが強くなり過ぎる場合も、ベランダ３０の開口部３４からの陽光を防護姿勢のシェード部材３により和らげることができる。
【００４９】
図３および図４は、本発明の別の実施形態を示す。なお、前述の実施形態と同一の部分には同一符号を付して詳細な説明を省略する。
【００５０】
本実施形態では、シェード部材３は、通気度が駆動軸４の巻き出し方向において段階的または連続的に異なるように構成されている。そして制御手段１０は、降雨検知手段５が降雨の開始を検知すると、降雨検知手段５が検知した降雨量に応じた通気度の領域が露出する下降長さの分だけシェード部材３を巻き出すように駆動軸４を制御する。
【００５１】
このようにすることで、降雨量により通気度を自動調整することができ、防雨効果を維持したまま、可能な限り通気度を確保することができる。
【００５２】
シェード部材３は、通気度が駆動軸４の巻き出し方向において段階的または連続的に異なるように構成されている。図４の例では、シェード部材３は、駆動軸４の巻き出し方向に、通気度が異なる領域３ａ、領域３ｂ、領域３ｃが段階的に設けられ、順に通気度が高くなるようにしている。
【００５３】
また本実施形態では、ベランダ３０の天井部３３に、その外縁端に沿って設置した収納部２と、さらにベランダ３０の床面における収納部２の下方に、収納部７が設置されている。収納部７の内部には、シェード部材３を巻き取りおよび巻き出し可能な駆動軸８が設置されている。
【００５４】
以上の構成を備えた本実施形態の防雨装置１は、次のように使用される。
【００５５】
天候が悪化して雨が強くなった場合には、シェード部材３を防護姿勢に切り換えることでベランダ３０の腰壁３２と天井部３３との間の開口部３４が閉塞される。まず、降雨検知手段５が降雨の開始を検知すると、降雨検知手段５からの信号が制御手段１０に入力される。制御手段１０は、駆動軸４のモータに信号を出力し、するとモータによって駆動軸４が回転し、シェード部材３を巻き出して収納部２から下降させる。そして防雨装置１は、前述の記憶手段を備えている。この記憶手段は、降雨検知手段５が検知した降雨量に対応する信号と、それに応じた通気度の領域３ａ、領域３ｂ、領域３ｃのいずれかがベランダ３０の開口部３４に露出するシェード部材３の下降長さとの関係を記憶している。制御手段１０は、降雨検知手段５が降雨の開始を検知すると、検知した降雨量に応じてシェード部材３の下降長さ、すなわち領域３ａ、領域３ｂ、領域３ｃのいずれかがベランダ３０の開口部３４に露出するシェード部材３の下降長さが決定される。そして、この下降長さの分だけシェード部材３を巻き出すように駆動軸４のモータに信号を出力する。記憶手段に設定されたとおりに回転した後、制御手段１０は駆動軸４のモータを停止する。必要に応じて、ベランダ３０の床面における収納部２の下方に設置された収納部７にはシェード部材３の下流側が、駆動軸８に巻き取られ収納される。
【００５６】
天候が回復して雨が止んだ場合には、シェード部材３を収納姿勢に切り換えることでベランダ３０の腰壁３２と天井部３３との間の開口部３４が開放される。まず、降雨検知手段５が降雨の終了を検知すると、降雨検知手段５からの信号が制御手段１０に入力される。制御手段１０は、降雨検知手段５が降雨の終了を検知すると、水分付着量検知手段６が検知した水分付着量が所定の状態以下に低下した後に、駆動軸４のモータに信号を出力し、するとモータによって駆動軸４が回転し、シェード部材３を巻き取り収納部２へ収納させる。
【００５７】
すなわち制御手段１０は、水分付着量検知手段６が検知した水分付着量が所定の値まで低下した後に、シェード部材３を巻き取り収納部２に収納するように駆動軸４を制御する。このように降雨検知手段５が降雨の終了を検知すると、即座にシェード部材を巻き取るのではなく、水分付着量検知手段６が検知した水分付着量が所定の値まで低下した後に、シェード部材３を巻き取り収納部２に収納するようにしている。すなわち、雨が止んだ後、暫くシェード部材３を外部に露出した状態のままで乾燥させて付着水分を蒸散させ、これを水分付着量検知手段６が検知することによって制御手段１０は駆動軸４に信号を送り、シェード部材３を巻き取り収納部２に収納する。そのため、シェード部材３が濡れたまま巻き取られて収納されてしまうことがなく、シェード部材３にカビや菌が繁殖することを抑制することができる。
【００５８】
以上のように、雨が降るとシェード部材３が巻き出されて、ベランダ３０のような居住空間への雨滴の侵入を抑制することにより、ベランダ３０の洗濯物３８を雨から守ることができる。そして降雨量によりシェード部材３の通気度を自動調整することができ、防雨効果を維持したまま、可能な限り通気度を確保することができる。雨が止めば、シェード部材３が巻き取られて収納され、利用者が指示を与えなくとも、適時日当たりや風通しを確保することができる。したがって、様々な天候の変化に柔軟に対応することで、最適な居住環境を利用者に提供することができる。
【００５９】
以上に説明した本実施形態の防雨装置１によれば、通気度が駆動軸４の巻き出し方向において段階的または連続的に異なるように構成されている。そして制御手段１０は、降雨検知手段５が降雨の開始を検知すると、降雨検知手段５が検知した降雨量に応じた通気度の領域が露出する下降長さの分だけシェード部材３を巻き出すように駆動軸４を制御する。したがって、降雨量により通気度を自動調整することができ、防雨効果を維持したまま、可能な限り通気度を確保することができる。
【００６０】
なお、本発明の防雨装置１は、以上の実施形態に限定されるものではない。例えば、以上の実施形態ではベランダ３０の天井部３３に収納部２を設置する場合について説明したが、これに限らず、軒先に収納部２を設置し、軒下を防雨装置１によって保護することもできる。
【符号の説明】
【００６１】
１      防雨装置
２      収納部
３      シェード部材
４      駆動軸
５      降雨検知手段
６      水分付着量検知手段
１０    制御手段
３０    ベランダ
３３    天井部
【図１】
2017031603.tif 000003
【図２】
2017031603.tif 000004
【図３】
2017031603.tif 000005
【図４】
2017031603.tif 000006